(57)【特許請求の範囲】
【請求項１】
撮像装置であって、
撮像を行って画像を生成する撮像モジュールと、
ファインダー機器が前記撮像装置に装着されているか否かを検出し、前記ファインダー機器は、被写体の光学像または前記撮像モジュールから出力される画像を表示し、前記ファインダー機器は、前記撮像装置に対して装着と取り外しとが可能である検出部と、
第１の情報と第２の情報とを記憶し、前記第１の情報は、前記ファインダー機器が前記撮像装置に装着されている場合に実行可能な１つまたは複数の第１の動作を示し、前記第２の情報は、前記ファインダー機器が前記撮像装置に装着されていない場合に実行可能な複数の第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含む記憶モジュールと、
前記ファインダー機器が前記撮像装置に装着されていることが検出された場合、前記第１の情報に基づく前記第１の動作が行われるように前記撮像モジュールに接続されるレンズモジュールを制御し、前記ファインダー機器が前記撮像装置に装着されていないことが検出された場合、前記第２の情報に基づく前記第２の動作が行われるように前記レンズモジュールを制御する制御部と、
を有し、
前記第１の情報及び前記第２の情報は、前記レンズモジュールを制御するパラメータの範囲を示す情報であり、前記パラメータは、前記レンズモジュールの絞りを制御するパラメータであり、前記第１の情報が示す前記範囲は、前記第２の情報が示す前記範囲に対して、被写界深度を浅くする一部の範囲が除かれている
撮像装置。
【請求項２】
撮像装置であって、
撮像を行って画像を生成する撮像モジュールと、
ファインダー機器が前記撮像装置に装着されているか否かを検出し、前記ファインダー機器は、被写体の光学像または前記撮像モジュールから出力される画像を表示し、前記ファインダー機器は、前記撮像装置に対して装着と取り外しとが可能である検出部と、
第１の情報と第２の情報とを記憶し、前記第１の情報は、前記ファインダー機器が前記撮像装置に装着されている場合に実行可能な１つまたは複数の第１の動作を示し、前記第２の情報は、前記ファインダー機器が前記撮像装置に装着されていない場合に実行可能な複数の第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含む記憶モジュールと、
前記ファインダー機器が前記撮像装置に装着されていることが検出された場合、前記第１の情報に基づく前記第１の動作が行われるように前記撮像モジュールに接続されるレンズモジュールを制御し、前記ファインダー機器が前記撮像装置に装着されていないことが検出された場合、前記第２の情報に基づく前記第２の動作が行われるように前記レンズモジュールを制御する制御部と、
を有し、
前記第１の情報及び前記第２の情報は、前記レンズモジュールを制御するパラメータの範囲を示す情報であり、前記パラメータは、前記レンズモジュールの画角を制御するパラメータであり、前記第１の情報が示す前記範囲は、前記第２の情報が示す前記範囲に対して、望遠側の一部の範囲が除かれている
撮像装置。
【請求項３】
ファインダー機器が撮像装置に装着されているか否かを検出し、前記ファインダー機器は、被写体の光学像、または撮像を行って画像を生成する撮像モジュールから出力される画像を表示し、前記ファインダー機器は、前記撮像装置に対して装着と取り外しとが可能であるステップと、
前記ファインダー機器が前記撮像装置に装着されていることが検出された場合、第１の情報に基づく第１の動作が行われるように前記撮像モジュールに接続されるレンズモジュールを制御し、前記ファインダー機器が前記撮像装置に装着されていないことが検出された場合、第２の情報に基づく第２の動作が行われるように前記レンズモジュールを制御し、前記第１の情報は、前記ファインダー機器が前記撮像装置に装着されている場合に実行可能な１つまたは複数の前記第１の動作を示し、前記第２の情報は、前記ファインダー機器が前記撮像装置に装着されていない場合に実行可能な複数の前記第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含み、前記第１の情報及び前記第２の情報は、前記レンズモジュールを制御するパラメータの範囲を示す情報であり、前記パラメータは、前記レンズモジュールの絞りを制御するパラメータであり、前記第１の情報が示す前記範囲は、前記第２の情報が示す前記範囲に対して、被写界深度を浅くする一部の範囲が除かれているステップと、
を有する撮像方法。
【請求項４】
ファインダー機器が撮像装置に装着されているか否かを検出し、前記ファインダー機器は、被写体の光学像、または撮像を行って画像を生成する撮像モジュールから出力される画像を表示し、前記ファインダー機器は、前記撮像装置に対して装着と取り外しとが可能であるステップと、
前記ファインダー機器が前記撮像装置に装着されていることが検出された場合、第１の情報に基づく第１の動作が行われるように前記撮像モジュールに接続されるレンズモジュールを制御し、前記ファインダー機器が前記撮像装置に装着されていないことが検出された場合、第２の情報に基づく第２の動作が行われるように前記レンズモジュールを制御し、前記第１の情報は、前記ファインダー機器が前記撮像装置に装着されている場合に実行可能な１つまたは複数の前記第１の動作を示し、前記第２の情報は、前記ファインダー機器が前記撮像装置に装着されていない場合に実行可能な複数の前記第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含み、前記第１の情報及び前記第２の情報は、前記レンズモジュールを制御するパラメータの範囲を示す情報であり、前記パラメータは、前記レンズモジュールの画角を制御するパラメータであり、前記第１の情報が示す前記範囲は、前記第２の情報が示す前記範囲に対して、望遠側の一部の範囲が除かれているステップと、
を有する撮像方法。
【請求項５】
ファインダー機器が撮像装置に装着されているか否かを検出し、前記ファインダー機器は、被写体の光学像、または撮像を行って画像を生成する撮像モジュールから出力される画像を表示し、前記ファインダー機器は、前記撮像装置に対して装着と取り外しとが可能であるステップと、
前記ファインダー機器が前記撮像装置に装着されていることが検出された場合、第１の情報に基づく第１の動作が行われるように前記撮像モジュールに接続されるレンズモジュールを制御し、前記ファインダー機器が前記撮像装置に装着されていないことが検出された場合、第２の情報に基づく第２の動作が行われるように前記レンズモジュールを制御し、前記第１の情報は、前記ファインダー機器が前記撮像装置に装着されている場合に実行可能な１つまたは複数の前記第１の動作を示し、前記第２の情報は、前記ファインダー機器が前記撮像装置に装着されていない場合に実行可能な複数の前記第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含み、前記第１の情報及び前記第２の情報は、前記レンズモジュールを制御するパラメータの範囲を示す情報であり、前記パラメータは、前記レンズモジュールの絞りを制御するパラメータであり、前記第１の情報が示す前記範囲は、前記第２の情報が示す前記範囲に対して、被写界深度を浅くする一部の範囲が除かれているステップと、
を前記ファインダー機器を装着可能な前記撮像装置のコンピュータに実行させるためのプログラム。
【請求項６】
ファインダー機器が撮像装置に装着されているか否かを検出し、前記ファインダー機器は、被写体の光学像、または撮像を行って画像を生成する撮像モジュールから出力される画像を表示し、前記ファインダー機器は、前記撮像装置に対して装着と取り外しとが可能であるステップと、
前記ファインダー機器が前記撮像装置に装着されていることが検出された場合、第１の情報に基づく第１の動作が行われるように前記撮像モジュールに接続されるレンズモジュールを制御し、前記ファインダー機器が前記撮像装置に装着されていないことが検出された場合、第２の情報に基づく第２の動作が行われるように前記レンズモジュールを制御し、前記第１の情報は、前記ファインダー機器が前記撮像装置に装着されている場合に実行可能な１つまたは複数の前記第１の動作を示し、前記第２の情報は、前記ファインダー機器が前記撮像装置に装着されていない場合に実行可能な複数の前記第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含み、前記第１の情報及び前記第２の情報は、前記レンズモジュールを制御するパラメータの範囲を示す情報であり、前記パラメータは、前記レンズモジュールの画角を制御するパラメータであり、前記第１の情報が示す前記範囲は、前記第２の情報が示す前記範囲に対して、望遠側の一部の範囲が除かれているステップと、
を前記ファインダー機器を装着可能な前記撮像装置のコンピュータに実行させるためのプログラム。
【発明の詳細な説明】
【技術分野】
【０００１】
本発明は、撮像装置、撮像方法、およびプログラムに関する。
【背景技術】
【０００２】
光学式ファインダーまたは電子式ファインダーであるファインダー機器を有する撮像装置がある。例えば、光学式ファインダーと電子式ファインダーとが装着可能なカメラであって、カメラに装着されたファインダー機器の種類に応じてモニタ表示の動作を変更するカメラが特許文献１に開示されている。
【先行技術文献】
【特許文献】
【０００３】
【特許文献１】日本国特開２０００−１１１９９４号公報
【発明の概要】
【発明が解決しようとする課題】
【０００４】
一般的にファインダー機器は小型である。ファインダー機器によって表示される光学像または画像の確認によりユーザが撮像の設定を確認することが難しい場合がある。このため、撮像の設定がシーン等に適していない、つまり撮像の設定が最適な設定と大きく異なる場合がある。したがって、ファインダー機器が撮像装置に装着されている場合、撮像装置がユーザにとって好ましい画像の撮像に失敗する可能性がある。【０００５】
例えば、表示インターフェースを有していない小型の撮像装置がある。撮像装置が表示装置に接続され、表示装置が撮像装置における撮像の設定を表示することが可能である。簡易または高速に撮像を行うために、撮像装置にファインダー機器が接続された状態で撮像の設定が確認されて撮像が行われ得る。この場合、撮像装置が表示装置に接続される必要はない。しかし、上記のように、撮像装置がユーザにとって好ましい画像の撮像に失敗する可能性がある。【０００６】
特許文献１に開示されたカメラの動作は、ファインダー機器が装着されているか否かに関わらず同一である。このため、特許文献１に開示されたカメラがユーザにとって好ましい画像の撮像に失敗する可能性がある。【０００７】
本発明は、撮像の設定が最適な設定と異なる度合いを低減することができる撮像装置、撮像方法、およびプログラムを提供する。
【課題を解決するための手段】
【０００８】
本発明の第１の態様によれば、撮像装置は、撮像を行って画像を生成する撮像モジュールと、ファインダー機器が前記撮像装置に装着されているか否かを検出し、前記ファインダー機器は、被写体の光学像または前記撮像モジュールから出力される画像を表示し、前記ファインダー機器は、前記撮像装置に対して装着と取り外しとが可能である検出部と、第１の情報と第２の情報とを記憶し、前記第１の情報は、前記ファインダー機器が前記撮像装置に装着されている場合に実行可能な１つまたは複数の第１の動作を示し、前記第２の情報は、前記ファインダー機器が前記撮像装置に装着されていない場合に実行可能な複数の第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含む記憶モジュールと、前記ファインダー機器が前記撮像装置に装着されていることが検出された場合、前記第１の情報に基づく前記第１の動作が行われるように前記撮像モジュールに接続されるレンズモジュールを制御し、前記ファインダー機器が前記撮像装置に装着されていないことが検出された場合、前記第２の情報に基づく前記第２の動作が行われるように前記レンズモジュールを制御する制御部と、有し、前記第１の情報及び前記第２の情報は、前記レンズモジュールを制御するパラメータの範囲を示す情報であり、前記パラメータは、前記レンズモジュールの絞りを制御するパラメータであり、前記第１の情報が示す前記範囲は、前記第２の情報が示す前記範囲に対して、被写界深度を浅くする一部の範囲が除かれている。
【０００９】
本発明の第２の態様によれば、撮像装置は、撮像を行って画像を生成する撮像モジュールと、ファインダー機器が前記撮像装置に装着されているか否かを検出し、前記ファインダー機器は、被写体の光学像または前記撮像モジュールから出力される画像を表示し、前記ファインダー機器は、前記撮像装置に対して装着と取り外しとが可能である検出部と、第１の情報と第２の情報とを記憶し、前記第１の情報は、前記ファインダー機器が前記撮像装置に装着されている場合に実行可能な１つまたは複数の第１の動作を示し、前記第２の情報は、前記ファインダー機器が前記撮像装置に装着されていない場合に実行可能な複数の第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含む記憶モジュールと、前記ファインダー機器が前記撮像装置に装着されていることが検出された場合、前記第１の情報に基づく前記第１の動作が行われるように前記撮像モジュールに接続されるレンズモジュールを制御し、前記ファインダー機器が前記撮像装置に装着されていないことが検出された場合、前記第２の情報に基づく前記第２の動作が行われるように前記レンズモジュールを制御する制御部と、有し、前記第１の情報及び前記第２の情報は、前記レンズモジュールを制御するパラメータの範囲を示す情報であり、前記パラメータは、前記レンズモジュールの画角を制御するパラメータであり、前記第１の情報が示す前記範囲は、前記第２の情報が示す前記範囲に対して、望遠側の一部の範囲が除かれている。
【００１６】
本発明の第３の態様によれば、撮像方法は、ファインダー機器が撮像装置に装着されているか否かを検出し、前記ファインダー機器は、被写体の光学像、または撮像を行って画像を生成する撮像モジュールから出力される画像を表示し、前記ファインダー機器は、前記撮像装置に対して装着と取り外しとが可能であるステップと、前記ファインダー機器が前記撮像装置に装着されていることが検出された場合、第１の情報に基づく第１の動作が行われるように前記撮像モジュールに接続されるレンズモジュールを制御し、前記ファインダー機器が前記撮像装置に装着されていないことが検出された場合、第２の情報に基づく第２の動作が行われるように前記レンズモジュールを制御し、前記第１の情報は、前記ファインダー機器が前記撮像装置に装着されている場合に実行可能な１つまたは複数の前記第１の動作を示し、前記第２の情報は、前記ファインダー機器が前記撮像装置に装着されていない場合に実行可能な複数の前記第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含み、前記第１の情報及び前記第２の情報は、前記レンズモジュールを制御するパラメータの範囲を示す情報であり、前記パラメータは、前記レンズモジュールの絞りを制御するパラメータであり、前記第１の情報が示す前記範囲は、前記第２の情報が示す前記範囲に対して、被写界深度を浅くする一部の範囲が除かれているステップを有する。
本発明の第４の態様によれば、撮像方法は、ファインダー機器が撮像装置に装着されているか否かを検出し、前記ファインダー機器は、被写体の光学像、または撮像を行って画像を生成する撮像モジュールから出力される画像を表示し、前記ファインダー機器は、前記撮像装置に対して装着と取り外しとが可能であるステップと、前記ファインダー機器が前記撮像装置に装着されていることが検出された場合、第１の情報に基づく第１の動作が行われるように前記撮像モジュールに接続されるレンズモジュールを制御し、前記ファインダー機器が前記撮像装置に装着されていないことが検出された場合、第２の情報に基づく第２の動作が行われるように前記レンズモジュールを制御し、前記第１の情報は、前記ファインダー機器が前記撮像装置に装着されている場合に実行可能な１つまたは複数の前記第１の動作を示し、前記第２の情報は、前記ファインダー機器が前記撮像装置に装着されていない場合に実行可能な複数の前記第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含み、前記第１の情報及び前記第２の情報は、前記レンズモジュールを制御するパラメータの範囲を示す情報であり、前記パラメータは、前記レンズモジュールの画角を制御するパラメータであり、前記第１の情報が示す前記範囲は、前記第２の情報が示す前記範囲に対して、望遠側の一部の範囲が除かれているステップを有する。
【００１７】
本発明の第５の態様によれば、プログラムは、ファインダー機器が撮像装置に装着されているか否かを検出し、前記ファインダー機器は、被写体の光学像、または撮像を行って画像を生成する撮像モジュールから出力される画像を表示し、前記ファインダー機器は、前記撮像装置に対して装着と取り外しとが可能であるステップと、前記ファインダー機器が前記撮像装置に装着されていることが検出された場合、第１の情報に基づく第１の動作が行われるように前記撮像モジュールに接続されるレンズモジュールを制御し、前記ファインダー機器が前記撮像装置に装着されていないことが検出された場合、第２の情報に基づく第２の動作が行われるように前記レンズモジュールを制御し、前記第１の情報は、前記ファインダー機器が前記撮像装置に装着されている場合に実行可能な１つまたは複数の前記第１の動作を示し、前記第２の情報は、前記ファインダー機器が前記撮像装置に装着されていない場合に実行可能な複数の前記第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含み、前記第１の情報及び前記第２の情報は、前記レンズモジュールを制御するパラメータの範囲を示す情報であり、前記パラメータは、前記レンズモジュールの絞りを制御するパラメータであり、前記第１の情報が示す前記範囲は、前記第２の情報が示す前記範囲に対して、被写界深度を浅くする一部の範囲が除かれているステップと、を前記ファインダー機器を装着可能な前記撮像装置のコンピュータに実行させるためのプログラムである。
本発明の第６の態様によれば、プログラムは、ファインダー機器が撮像装置に装着されているか否かを検出し、前記ファインダー機器は、被写体の光学像、または撮像を行って画像を生成する撮像モジュールから出力される画像を表示し、前記ファインダー機器は、前記撮像装置に対して装着と取り外しとが可能であるステップと、前記ファインダー機器が前記撮像装置に装着されていることが検出された場合、第１の情報に基づく第１の動作が行われるように前記撮像モジュールに接続されるレンズモジュールを制御し、前記ファインダー機器が前記撮像装置に装着されていないことが検出された場合、第２の情報に基づく第２の動作が行われるように前記レンズモジュールを制御し、前記第１の情報は、前記ファインダー機器が前記撮像装置に装着されている場合に実行可能な１つまたは複数の前記第１の動作を示し、前記第２の情報は、前記ファインダー機器が前記撮像装置に装着されていない場合に実行可能な複数の前記第２の動作を示し、前記１つまたは複数の第１の動作は前記複数の第２の動作のいずれか１つまたは複数と同一であり、前記複数の第２の動作は、前記１つまたは複数の第１の動作のいずれとも異なる動作を含み、前記第１の情報及び前記第２の情報は、前記レンズモジュールを制御するパラメータの範囲を示す情報であり、前記パラメータは、前記レンズモジュールの画角を制御するパラメータであり、前記第１の情報が示す前記範囲は、前記第２の情報が示す前記範囲に対して、望遠側の一部の範囲が除かれているステップと、を前記ファインダー機器を装着可能な前記撮像装置のコンピュータに実行させるためのプログラムである。
【発明の効果】
【００１８】
上記の各態様によれば、ファインダー機器が撮像装置に装着されている場合、ファインダー機器が撮像装置に装着されていない場合と比較して、実行可能な動作が制限される。このため、撮像の設定が最適な設定と異なる度合いを低減することができる。
【図面の簡単な説明】
【００１９】
【図１】本発明の第１の実施形態の撮像装置の構成を示すブロック図である。
【図２】本発明の第１の実施形態の撮像装置の動作の手順を示すフローチャートである。
【図３】本発明の第２の実施形態の撮像システムの構成を示すブロック図である。
【図４】本発明の第２の実施形態の撮像装置の構成を示すブロック図である。
【図５】本発明の第２の実施形態の表示装置の構成を示すブロック図である。
【図６】本発明の第２の実施形態の撮像装置の動作の手順を示すフローチャートである。
【図７】本発明の第２の実施形態の表示装置の動作の手順を示すフローチャートである。
【図８】本発明の第２の実施形態の第１の例における第１の情報と第２の情報とを示す参考図である。
【図９】本発明の第２の実施形態の第２の例における第１の情報と第２の情報とを示す参考図である。
【図１０】本発明の第２の実施形態の第３の例における第１の情報と第２の情報とを示す参考図である。
【図１１】本発明の第２の実施形態の第４の例における第１の情報と第２の情報とを示す参考図である。
【図１２】本発明の第２の実施形態の第５の例における第１の情報と第２の情報とを示す参考図である。
【図１３】本発明の第２の実施形態の第６の例における第１の情報と第２の情報とを示す参考図である。
【図１４】本発明の第２の実施形態の第７の例における第１の情報と第２の情報とを示す参考図である。
【図１５】本発明の第２の実施形態の変形例における第１の情報と第２の情報とを示す参考図である。
【図１６】本発明の第２の実施形態の第８の例における第１の情報と第２の情報とを示す参考図である。
【図１７】本発明の第３の実施形態の撮像装置の構成を示すブロック図である。
【発明を実施するための形態】
【００２０】
図面を参照し、本発明の実施形態を説明する。
【００２１】
（第１の実施形態）
図１は、本発明の第１の実施形態の撮像装置１０ａの構成を示している。図１に示すように、撮像装置１０ａは、撮像モジュール１００と、検出部１０１ａと、記憶モジュール１０２ａと、制御部１０３ａとを有する。
【００２２】
撮像モジュール１００は、撮像を行って画像（画像データ）を生成する。
【００２３】
検出部１０１ａは、ファインダー機器２０ａが撮像装置１０ａに装着されているか否かを検出する。例えば、検出部１０１ａは、ファインダー機器２０ａが撮像装置１０ａに装着されているか否かを機械的に検出する。検出部１０１ａは、ファインダー機器２０ａが撮像装置１０ａに装着されているか否かを電気的に検出してもよい。ファインダー機器２０ａは、被写体の光学像または撮像モジュール１００から出力される画像を表示する。ファインダー機器２０ａは、撮像装置１０ａに対して装着と取り外しとが可能である。ファインダー機器２０ａは、光学式ファインダーと電子式ファインダーとのいずれであってもよい。ファインダー機器２０ａが電子式ファインダーである場合、ファインダー機器２０ａは、撮像モジュール１００によって生成された画像を表示する。
【００２４】
記憶モジュール１０２ａは、第１の情報と第２の情報とを記憶する。記憶モジュール１０２ａは、揮発性または不揮発性の記録媒体である。第１の情報は、ファインダー機器２０ａが撮像装置１０ａに装着されている場合に実行可能な１つまたは複数の第１の動作を示す。第２の情報は、ファインダー機器２０ａが撮像装置１０ａに装着されていない場合に実行可能な複数の第２の動作を示す。１つまたは複数の第１の動作は複数の第２の動作のいずれか１つまたは複数と同一である。複数の第２の動作は、１つまたは複数の第１の動作と同一の動作を含む。また、複数の第２の動作は、１つまたは複数の第１の動作のいずれとも異なる動作を含む。つまり、１つまたは複数の第１の動作は複数の第２の動作に含まれる。第１の動作と第２の動作とは、撮像モジュール１００または撮像モジュール１００に接続されるレンズモジュールの状態を制御する動作である。
【００２５】
第１の情報と第２の情報とは、撮像モードの情報と、制御アルゴリズムの情報と、特定の撮像パラメータを設定する動作の情報と、複数回または１回の撮像の情報との少なくとも１つである。第１の動作では、フォーカス等の撮像の設定が最適な設定と異なる度合いが平均的に第２の動作よりも低減されやすい。
【００２６】
制御部１０３ａは、ファインダー機器２０ａが撮像装置１０ａに装着されていることが検出された場合、第１の情報に基づく第１の動作が行われるように撮像モジュール１００または撮像モジュール１００に接続されるレンズモジュールを制御する。制御部１０３ａは、ファインダー機器２０ａが撮像装置１０ａに装着されていないことが検出された場合、第２の情報に基づく第２の動作が行われるように撮像モジュール１００または撮像モジュール１００に接続されるレンズモジュールを制御する。つまり、制御部１０３ａは、ファインダー機器２０ａが撮像装置１０ａに装着されていることが検出された場合、ファインダー機器２０ａが撮像装置１０ａに装着されていない場合よりも実行可能な動作の数が少なくなるように、実行可能な動作を制限する。
【００２７】
撮像装置１０ａのコンピュータが、検出部１０１ａと制御部１０３ａとの動作を規定する命令を含むプログラムを読み込み、読み込まれたプログラムを実行してもよい。つまり、検出部１０１ａと制御部１０３ａとの機能はソフトウェアにより実現されてもよい。このプログラムは、フラッシュメモリのような「コンピュータ読み取り可能な記録媒体」により提供されてもよい。また、上述したプログラムは、このプログラムが保存された記憶装置等を有するコンピュータから、伝送媒体を介して、あるいは伝送媒体中の伝送波により撮像装置１０ａに伝送されてもよい。プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる、いわゆる差分ファイル（差分プログラム）であってもよい。
【００２８】
図２は、撮像の制御に関する撮像装置１０ａの動作の手順を示している。図２を参照して、撮像の制御に関する撮像装置１０ａの動作を説明する。例えば、図２に示す動作は、撮像装置１０ａの電源がオフからオンに遷移するとき、つまり撮像装置１０ａが起動するときに行われる。
【００２９】
検出部１０１ａは、撮像装置１０ａに対するファインダー機器２０ａの装着状態を検出する（ステップＳ１００）。つまり、ステップＳ１００では、検出部１０１ａは、ファインダー機器２０ａが撮像装置１０ａに装着されているか否かを検出する。ファインダー機器２０ａの装着状態が検出された後、検出部１０１ａは、ステップＳ１００で検出されたファインダー機器２０ａの装着状態に基づいて、ファインダー機器２０ａが撮像装置１０ａに装着されているか否かを判定する（ステップＳ１０５）。
【００３０】
ファインダー機器２０ａが撮像装置１０ａに装着されている場合、制御部１０３ａは、第１の情報を記憶モジュール１０２ａから読み出す。制御部１０３ａは、読み出された第１の情報に基づく第１の動作が行われるように撮像モジュール１００またはレンズモジュールを制御する（ステップＳ１１０）。ステップＳ１１０では、撮像モジュール１００またはレンズモジュールは、制御部１０３ａによる制御に従って第１の動作を行う。ファインダー機器２０ａが電子式ファインダーである場合、ファインダー機器２０ａは、第１の動作が行われる前に、撮像モジュール１００によって生成された画像を表示する。
【００３１】
ファインダー機器２０ａが撮像装置１０ａに装着されていない場合、制御部１０３ａは、第２の情報を記憶モジュール１０２ａから読み出す。制御部１０３ａは、読み出された第２の情報に基づく第２の動作が行われるように撮像モジュール１００またはレンズモジュールを制御する（ステップＳ１１５）。ステップＳ１１５では、撮像モジュール１００またはレンズモジュールは、制御部１０３ａによる制御に従って第２の動作を行う。
【００３２】
ステップＳ１１０において、第１の情報に基づいて選択可能な複数の第１の動作がある場合、以下の方法により１つの第１の動作が選択される。例えば、１つの第１の動作が予め選択され、選択された１つの第１の動作を示す設定情報が記憶モジュール１０２ａに記憶されている場合、制御部１０３ａは、その設定情報に基づいて１つの第１の動作を選択する。例えば、設定情報は、撮像装置１０ａにデフォルトで設定されている１つの第１の動作を示している。設定情報は、ユーザによって予め選択された１つの第１の動作を示してもよい。設定情報は、以前に撮像装置１０ａが使用されてステップＳ１１０の処理が行われたときに選択された１つの第１の動作を示してもよい。撮像モジュール１００が撮像可能状態になったとき、制御部１０３ａが撮像モジュール１００から画像を取得し、取得された画像の状態に基づいて１つの第１の動作を選択してもよい。設定情報は、画像の状態に基づいて選択された１つの第１の動作を示してもよい。ステップＳ１１５において、第２の情報に基づいて選択可能な複数の第２の動作がある場合、上記の方法と同様の方法により１つの第２の動作が選択されてもよい。
【００３３】
上記の処理が行われた後、撮像の制御に関する撮像装置１０ａの動作が終了する。例えば、第１の動作または第２の動作が行われた後、撮像モジュール１００は撮像を行い、静止画を生成する。第１の動作と第２の動作とは、撮像を行って静止画を生成する動作を含んでもよい。
【００３４】
撮像装置１０ａの電源がオフからオンに遷移するとき以外のタイミングで、図２に示す動作が行われてもよい。例えば、撮像装置１０ａが起動した後、図２に示す動作が行われてもよい。図２に示す動作は繰り返し行われてもよい。例えば、ファインダー機器２０ａの装着状態の検出が定期的に行われ、ファインダー機器２０ａの装着状態が変化したときに、ファインダー機器２０ａの装着状態に応じて第１の動作または第２の動作が行われてもよい。
【００３５】
第１の実施形態によれば、撮像モジュール１００と、検出部１０１ａと、記憶モジュール１０２ａと、制御部１０３ａと、を有する撮像装置１０ａが構成される。
【００３６】
また、第１の実施形態によれば、ステップＳ１００と、ステップＳ１１０またはステップＳ１１５と、を有する撮像方法が構成される。ステップＳ１００では、ファインダー機器２０ａが撮像装置１０ａに装着されているか否かが検出される。ステップＳ１１０では、ファインダー機器２０ａが撮像装置１０ａに装着されていることが検出された場合、第１の情報に基づく第１の動作が行われるように撮像モジュール１００または撮像モジュール１００に接続されるレンズモジュールが制御される。ステップＳ１１５では、ファインダー機器２０ａが撮像装置１０ａに装着されていないことが検出された場合、第２の情報に基づく第２の動作が行われるように撮像モジュール１００またはレンズモジュールが制御される。
【００３７】
また、第１の実施形態によれば、ステップＳ１００と、ステップＳ１１０またはステップＳ１１５と、を撮像装置１０ａのコンピュータに実行させるためのプログラムが構成される。
【００３８】
第１の実施形態では、ファインダー機器２０ａが撮像装置１０ａに装着されている場合、ファインダー機器２０ａが撮像装置１０ａに装着されていない場合と比較して、実行可能な動作が制限される。第１の動作では、フォーカス等の撮像の設定が最適な設定と異なる度合いが平均的に第２の動作よりも低減されやすい。このため、撮像の設定が最適な設定と異なる度合いを低減することができる。つまり、ファインダー機器２０ａが撮像装置１０ａに装着されている場合、撮像モジュール１００がユーザにとって好ましい画像の撮像に成功しやすい。
【００３９】
（第２の実施形態）
図３は、本発明の第２の実施形態の撮像システム１の構成を示している。図３に示すように、撮像システム１は、撮像装置１０ｂと、ファインダー機器２０ａと、表示装置３０と、レンズモジュール４０とを有する。
【００４０】
撮像装置１０ｂは撮像操作スイッチ１０４を有する。撮像操作スイッチ１０４は撮像装置１０ｂの表面に配置されている。撮像装置１０ｂは、表示装置３０と無線通信を行う。ファインダー機器２０ａは撮像装置１０ｂの表面に装着されている。表示装置３０は、撮像装置１０ｂと無線通信を行う。表示装置３０は表示モジュール３０１を有する。表示モジュール３０１は表示装置３０の表面に配置されている。
【００４１】
レンズモジュール４０は、フォーカスレンズまたはズームレンズ等のレンズを有する。図３では、レンズモジュール４０は撮像装置１０ｂに装着されている。撮像装置１０ｂとレンズモジュール４０とは分離可能である。撮像装置１０ｂがレンズモジュールを有していてもよい。
【００４２】
図４は、撮像装置１０ｂの構成を示している。図４に示すように、撮像装置１０ｂは、撮像モジュール１００と、検出部１０１ａと、記憶モジュール１０２ａと、制御部１０３ｂと、撮像操作スイッチ１０４と、通信モジュール１０５とを有する。本発明の各態様の撮像装置は、撮像操作スイッチ１０４と、通信モジュール１０５との少なくとも１つに対応する構成を有していなくてもよい。
【００４３】
図４に示す構成について、図１に示す構成と異なる点を説明する。撮像操作スイッチ１０４は、撮像指示の操作を受け付ける。例えば、撮像指示は、静止画の取得指示である。例えば、撮像操作スイッチ１０４がユーザの体の一部と接触しているとき、撮像操作スイッチ１０４はユーザから操作を受け付ける。撮像操作スイッチ１０４は、操作を受け付けたとき、操作に応じた信号を制御部１０３ｂに出力する。撮像操作スイッチ１０４の形状と構造とは任意である。例えば、撮像操作スイッチ１０４はシャッターボタンである。
【００４４】
通信モジュール１０５は、表示装置３０と無線通信を行う。通信モジュール１０５は、撮像モジュール１００によって生成された画像を表示装置３０に無線送信する。また、通信モジュール１０５は、撮像指示を示す指示情報を表示装置３０から無線受信する。
【００４５】
制御部１０３ｂは、ファインダー機器２０ａが撮像装置１０ｂに装着されていることが検出され、かつ、撮像操作スイッチ１０４によって撮像指示の操作が受け付けられた場合、第１の情報に基づく第１の動作が行われるように撮像モジュール１００または撮像モジュール１００に接続されるレンズモジュール４０を制御する。制御部１０３ｂは、ファインダー機器２０ａが撮像装置１０ｂに装着されていないことが検出され、かつ、撮像操作スイッチ１０４によって撮像指示の操作が受け付けられた場合、第２の情報に基づく第２の動作が行われるように撮像モジュール１００または撮像モジュール１００に接続されるレンズモジュール４０を制御する。
【００４６】
例えば、制御部１０３ｂは、制御部１０３ｂの動作を規定する命令を含むプログラムを読み込み、読み込まれたプログラムを実行する。このプログラムの実現形態は、図１に示す制御部１０３ａの機能を実現するプログラムの実現形態と同様である。
【００４７】
上記以外の点については、図４に示す構成は図１に示す構成と同様である。
【００４８】
図５は、表示装置３０の構成を示している。図５に示すように、表示装置３０は、通信モジュール３００と、表示モジュール３０１と、操作スイッチ３０２と、制御部３０３とを有する。
【００４９】
通信モジュール３００は、撮像装置１０ｂと無線通信を行う。通信モジュール３００は、撮像装置１０ｂの撮像モジュール１００によって生成された画像を撮像装置１０ｂから無線受信する。また、通信モジュール３００は、撮像指示を示す指示情報を撮像装置１０ｂに無線送信する。
【００５０】
表示モジュール３０１は、通信モジュール３００によって無線受信された画像を表示する。
【００５１】
操作スイッチ３０２は、撮像指示の操作を受け付ける。例えば、撮像指示は、静止画の取得指示である。例えば、操作スイッチ３０２がユーザの体の一部と接触しているとき、操作スイッチ３０２はユーザから操作を受け付ける。操作スイッチ３０２は、操作を受け付けたとき、操作に応じた信号を制御部３０３に出力する。操作スイッチ３０２の形状と構造とは任意である。例えば、操作スイッチ３０２はボタンである。表示モジュール３０１がタッチパネルである場合、操作スイッチ３０２は表示モジュール３０１に含まれてもよい。
【００５２】
制御部３０３は、操作スイッチ３０２によって撮像指示の操作が受け付けられた場合、撮像指示を示す指示情報を生成する。
【００５３】
図６は、撮像の制御に関する撮像装置１０ｂの動作の手順を示している。図６を参照して、撮像の制御に関する撮像装置１０ｂの動作を説明する。図６に示す処理について、図２に示す処理と異なる点を説明する。
【００５４】
ステップＳ１０５においてファインダー機器２０ａが撮像装置１０ｂに装着されている場合、撮像操作スイッチ１０４は、撮像指示の操作を受け付ける（ステップＳ２００）。撮像指示の操作が受け付けられた後、ステップＳ１１０の処理が行われる。
【００５５】
ステップＳ１０５においてファインダー機器２０ａが撮像装置１０ｂに装着されていない場合、制御部１０３ｂは、撮像モジュール１００によって生成された画像を通信モジュール１０５に出力する。通信モジュール１０５は、画像を表示装置３０に無線送信する（ステップＳ２０５）。例えば、表示装置３０に送信される画像は、複数フレームの画像で構成される動画（ライブ画像）である。
【００５６】
画像が表示装置３０に無線送信された後、通信モジュール１０５は、撮像指示を示す指示情報を表示装置３０から無線受信する（ステップＳ２１０）。通信モジュール１０５によって受信された指示情報は制御部１０３ｂに出力される。指示情報が表示装置３０から無線受信された後、ステップＳ１１５の処理が行われる。
【００５７】
上記以外の点については、図６に示す処理は図２に示す処理と同様である。
【００５８】
図７は、画像の表示と撮像の制御とに関する表示装置３０の動作の手順を示している。図７を参照して、画像の表示と撮像の制御とに関する表示装置３０の動作を説明する。
【００５９】
通信モジュール３００は、画像を撮像装置１０ｂから無線受信する（ステップＳ３００）。通信モジュール３００によって無線受信された画像は、制御部３０３を介して表示モジュール３０１に出力される。表示モジュール３０１は画像を表示する（ステップＳ３０５）。表示された画像の確認によりユーザは撮像の設定の確認を行うことが可能である。
【００６０】
画像が表示された後、操作スイッチ３０２は、撮像指示の操作を受け付ける（ステップＳ３１０）。撮像指示の操作が受け付けられた後、制御部３０３は、撮像指示を示す指示情報を生成する。生成された指示情報は通信モジュール３００に出力される。通信モジュール３００は、指示情報を撮像装置１０ｂに無線送信する（ステップＳ３１５）。
【００６１】
上記の処理が行われた後、画像の表示と撮像の制御とに関する表示装置３０の動作が終了する。
【００６２】
第１の実施形態の説明に示すように、ステップＳ１１０では、第１の情報に基づく複数の第１の動作のうちユーザによって予め選択された１つの第１の動作が選択されてもよい。例えば、撮像装置１０ｂの制御部１０３ｂは、第１の情報を記憶モジュール１０２ａから読み出す。通信モジュール１０５は、読み出された第１の情報を表示装置３０に無線送信する。表示装置３０の通信モジュール３００は、第１の情報を撮像装置１０ｂから無線受信する。表示モジュール３０１は、無線受信された第１の情報に基づいて、撮像装置１０ｂが実行可能な複数の第１の動作を表示する。操作スイッチ３０２は、表示モジュール３０１によって表示された複数の第１の動作のいずれか１つを選択する操作を受け付ける。制御部３０３は、選択された第１の動作を示す第１の動作情報を生成する。通信モジュール３００は、生成された第１の動作情報を撮像装置１０ｂに無線送信する。
【００６３】
撮像装置１０ｂの通信モジュール１０５は第１の動作情報を表示装置３０から無線受信する。制御部１０３ｂは、無線受信された第１の動作情報が示す第１の動作に対応する設定情報を記憶モジュール１０２ａに保存する。ステップＳ１１０では、制御部１０３ｂは、第１の情報が示す複数の第１の動作のうち設定情報によって指定される第１の動作を選択する。
【００６４】
第１の実施形態の説明に示すように、ステップＳ１１５では、第２の情報に基づく複数の第２の動作のうちユーザによって予め選択された１つの第２の動作が選択されてもよい。この場合の説明は、第１の動作に関する上記の説明と同様である。
【００６５】
ファインダー機器２０ａが撮像装置１０ｂに装着されていない場合、表示装置３０の表示モジュール３０１に表示される画像の確認によりユーザは撮像の設定の確認が可能である。撮像装置１０ｂと表示装置３０とが無線通信により接続される場合、無線通信の接続を確立する処理に時間を要する。ファインダー機器２０ａが撮像装置１０ｂに装着されている場合、撮像装置１０ｂと表示装置３０とが接続されている必要はない。このため、簡易または高速に撮像を行うことができる。ファインダー機器２０ａが撮像装置１０ｂに装着されている場合、ファインダー機器２０ａによって表示される光学像または画像の確認により撮像の設定の確認が行われる。この場合、実行可能な動作が制限されることによって、撮像の設定が最適な設定と異なる度合いが低減される。つまり、撮像モジュール１００がユーザにとって好ましい画像の撮像に成功しやすい。
【００６６】
（第２の実施形態の第１の例）
図８は、第２の実施形態の第１の例における第１の情報Ａ１１と第２の情報Ａ１２とを示している。第１の情報Ａ１１は、ファインダー機器２０ａが装着されている場合に対応する。第２の情報Ａ１２は、ファインダー機器２０ａが装着されていない場合に対応する。第１の情報Ａ１１と第２の情報Ａ１２とは、撮像モードの情報を含む。
【００６７】
第１の情報Ａ１１は、複数の第１の動作の情報を含む。第２の情報Ａ１２は、複数の第２の動作の情報を含む。第１の動作と第２の動作とは、シャッタースピードと絞りとの少なくとも１つを制御するモードの動作である。具体的には、複数の第１の動作は、フルオートモードと、プログラマブルオートモードとである。具体的には、複数の第２の動作は、フルオートモードと、プログラマブルオートモードと、シャッタースピード優先モードと、絞り優先モードと、マニュアルモードとである。フルオートモードと、プログラマブルオートモードとは、第１の動作と第２の動作とで共通である。第１の情報Ａ１１は、フルオートモードと、プログラマブルオートモードとのいずれか１つのみの情報を含んでもよい。
【００６８】
フルオートモードは、撮像装置１０ｂがシーンに最適な撮像モードを自動的に設定するモードである。フルオートモードでは、シーンに最適な撮像モードが判断され、その撮像モードに対応するシャッタースピード値と絞り値とが撮像モジュール１００に設定される。プログラマブルオートは、画像における主要な被写体に適したシャッタースピード値と絞り値とを自動的に設定するモードである。シャッタースピード優先モードは、ユーザによって指定されたシャッタースピード値を基準に、露出が適正になるように絞り値を設定するモードである。絞り優先モードは、ユーザによって指定された絞り値を基準に、露出が適正になるようにシャッタースピード値を設定するモードである。マニュアルモードは、ユーザによって指定されたシャッタースピード値と絞り値とを設定するモードである。
【００６９】
撮像モジュール１００に設定されているシャッタースピード値と絞り値とが、主要な被写体の撮像に適したシャッタースピード値および絞り値と合っていない場合、撮像モジュール１００はユーザにとって好ましい画像の撮像に失敗しやすい。つまり、主要な被写体が非常に暗いまたは明るい画像が撮像されやすい。複数の第１の動作は、ユーザが撮像パラメータを指定しない撮像モードのみを含む。複数の第１の動作は、ユーザが撮像パラメータを指定する撮像モードを含まない。
【００７０】
例えば、ファインダー機器２０ａが撮像装置１０ｂに装着されている場合、以下の方法により、２つの第１の動作のうち１つが選択される。撮像モジュール１００が撮像可能状態になったとき、制御部１０３ｂは撮像モジュール１００から画像を取得する。制御部１０３ｂは、取得された画像の状態に基づいてシーンを判定する。最適なシーンを判定できた場合、制御部１０３ｂは、フルオートモードを選択する。制御部１０３ｂは、フルオートモードで撮像が行われるように撮像モジュール１００のモードをフルオートモードに設定する。最適なシーンを判定できなかった場合、制御部１０３ｂは、プログラマブルモードを選択する。制御部１０３ｂは、プログラマブルモードで撮像が行われるように撮像モジュール１００のモードをプログラマブルモードに設定する。
【００７１】
第２の実施形態の第１の例では、ファインダー機器２０ａが撮像装置１０ｂに装着されている場合、ユーザが撮像パラメータを指定しない撮像モードで撮像が行われる。このため、撮像の設定が最適な設定と異なる度合いを低減することができる。つまり、撮像モジュール１００がユーザにとって好ましい画像の撮像に成功しやすい。
【００７２】
（第２の実施形態の第２の例）
図９は、第２の実施形態の第２の例における第１の情報Ａ２１と第２の情報Ａ２２とを示している。第１の情報Ａ２１は、ファインダー機器２０ａが装着されている場合に対応する。第２の情報Ａ２２は、ファインダー機器２０ａが装着されていない場合に対応する。第１の情報Ａ２１と第２の情報Ａ２２とは、フォーカス制御アルゴリズムの情報を含む。
【００７３】
第１の情報Ａ２１は、複数の第１の動作の情報を含む。第２の情報Ａ２２は、複数の第２の動作の情報を含む。第１の動作と第２の動作とは、フォーカスを制御する動作である。具体的には、複数の第１の動作は、顔優先アルゴリズムと、中心がターゲットとなるシングルＡＦアルゴリズムとである。具体的には、複数の第２の動作は、顔優先アルゴリズムと、中心がターゲットとなるシングルＡＦアルゴリズムと、コンティニュアスＡＦアルゴリズムと、マニュアルアルゴリズムとである。顔優先アルゴリズムと、中心がターゲットとなるシングルＡＦアルゴリズムとは、第１の動作と第２の動作とで共通である。第１の情報Ａ２１は、顔優先アルゴリズムと、中心がターゲットとなるシングルＡＦアルゴリズムとのいずれか１つのみの情報を含んでもよい。
【００７４】
顔優先アルゴリズムは、顔認識機能により画像から認識された顔にフォーカスを合わせるアルゴリズムである。中心がターゲットとなるシングルＡＦアルゴリズムは、画像の中心にある被写体にフォーカスを１回合わせるアルゴリズムである。コンティニュアスＡＦアルゴリズムは、動きのある被写体に連続的にフォーカスを合わせるアルゴリズムである。マニュアルアルゴリズムは、ユーザによって指定されたフォーカスを設定するアルゴリズムである。
【００７５】
フォーカスが主要な被写体に合っていない場合、撮像モジュール１００はユーザにとって好ましい画像の撮像に失敗しやすい。つまり、フォーカスがぼけた画像が撮像されやすい。複数の第１の動作は、被写体の確認を伴わない場合に適切なフォーカスが設定されやすいフォーカス制御アルゴリズムのみを含む。複数の第１の動作は、被写体の確認を伴わない場合に適切なフォーカスが設定されにくいフォーカス制御アルゴリズムを含まない。
【００７６】
例えば、ファインダー機器２０ａが撮像装置１０ｂに装着されている場合、以下の方法により、２つの第１の動作のうち１つが選択される。撮像モジュール１００が撮像可能状態になったとき、制御部１０３ｂは撮像モジュール１００から画像を取得する。制御部１０３ｂは、取得された画像に人物がいるか否かを判定する。画像に人物がいる場合、制御部１０３ｂは、顔優先アルゴリズムを選択する。制御部１０３ｂは、顔優先アルゴリズムに従ってフォーカスが設定された状態で撮像が行われるようにレンズモジュール４０を制御する。画像に人物がいない場合、制御部１０３ｂは、中心がターゲットとなるシングルＡＦアルゴリズムを選択する。制御部１０３ｂは、中心がターゲットとなるシングルＡＦアルゴリズムに従ってフォーカスが設定された状態で撮像が行われるようにレンズモジュール４０を制御する。
【００７７】
第２の実施形態の第２の例では、ファインダー機器２０ａが撮像装置１０ｂに装着されている場合、適切なフォーカスが設定されやすいフォーカス制御アルゴリズムに従って撮像が行われる。このため、撮像の設定が最適な設定と異なる度合いを低減することができる。つまり、撮像モジュール１００がユーザにとって好ましい画像の撮像に成功しやすい。
【００７８】
（第２の実施形態の第３の例）
図１０は、第２の実施形態の第３の例における第１の情報Ａ３１と第２の情報Ａ３２とを示している。第１の情報Ａ３１は、ファインダー機器２０ａが装着されている場合に対応する。第２の情報Ａ３２は、ファインダー機器２０ａが装着されていない場合に対応する。第１の情報Ａ３１と第２の情報Ａ３２とは、特定の撮像パラメータ（フォーカスパラメータ）を設定する動作の情報を含む。
【００７９】
第１の情報Ａ３１は、複数の第１の動作の情報を含む。第２の情報Ａ３２は、複数の第２の動作の情報を含む。第１の動作と第２の動作とは、特定の撮像パラメータ（フォーカスパラメータ）を設定する動作である。図１０に示す例では、レンズの絞り値がＦ３．５以上Ｆ２２以下の範囲で設定可能なレンズモジュール４０が使用される。具体的には、複数の第１の動作は、レンズモジュール４０のレンズの絞り値をＦ５．６以上Ｆ２２以下のいずれか１つの値に設定する動作である。具体的には、複数の第２の動作は、レンズモジュール４０のレンズの絞り値をＦ３．５以上Ｆ２２以下のいずれか１つの値に設定する動作である。レンズモジュール４０のレンズの絞り値をＦ５．６以上Ｆ２２以下のいずれか１つの値に設定する動作は、第１の動作と第２の動作とで共通である。図１０に示す例では、Ｆ５．６以上Ｆ２２以下の範囲とＦ３．５以上Ｆ２２以下の範囲とで、レンズモジュール４０のレンズの複数の絞り値が設定可能である。このため、撮像装置１０ｂは、特定の撮像パラメータを設定する複数の第１の動作と複数の第２の動作とを実行可能である。
【００８０】
フォーカスが主要な被写体に合っていない場合、撮像モジュール１００はユーザにとって好ましい画像の撮像に失敗しやすい。つまり、フォーカスがぼけた画像が撮像されやすい。レンズモジュール４０のレンズの絞り値を変更することによって、フォーカスが合っている範囲（被写界深度）が広がる。これによって、フォーカスがぼけた画像の撮像を避けることができる。複数の第１の動作は、被写界深度が相対的に広い絞り値を設定する動作のみを含む。複数の第１の動作は、被写界深度が相対的に狭い絞り値を設定する動作を含まない。
【００８１】
例えば、ファインダー機器２０ａが撮像装置１０ｂに装着されている場合、以下の方法により、複数の第１の動作のうち１つが選択される。撮像モジュール１００が撮像可能状態になったとき、制御部１０３ｂは撮像モジュール１００から画像を連続的に取得する。例えば、レンズモジュール４０のレンズの絞り値は、最初はＦ５．６に設定されている。制御部１０３ｂは、画像のエッジ成分を算出する。算出されたエッジ成分の値が閾値未満である場合、制御部１０３ｂはレンズモジュール４０のレンズの絞り値をより大きな値に変更する。レンズモジュール４０のレンズの絞り値が変更された後、制御部１０３ｂは、画像のエッジ成分を再度算出する。エッジ成分の値が閾値以上になるまで上記の動作が繰り返される。つまり、制御部１０３ｂは、レンズモジュール４０のレンズの絞り値がＦ５．６以上になった状態で撮像が行われるようにレンズモジュール４０を制御する。
【００８２】
第２の実施形態の第３の例では、ファインダー機器２０ａが撮像装置１０ｂに装着されている場合、被写界深度が相対的に広い絞り値が設定されて撮像が行われる。このため、撮像の設定が最適な設定と異なる度合いを低減することができる。つまり、撮像モジュール１００がユーザにとって好ましい画像の撮像に成功しやすい。
【００８３】
（第２の実施形態の第４の例）
図１１は、第２の実施形態の第４の例における第１の情報Ａ４１と第２の情報Ａ４２とを示している。第１の情報Ａ４１は、ファインダー機器２０ａが装着されている場合に対応する。第２の情報Ａ４２は、ファインダー機器２０ａが装着されていない場合に対応する。第１の情報Ａ４１と第２の情報Ａ４２とは、露出制御アルゴリズムの情報を含む。
【００８４】
第１の情報Ａ４１は、複数の第１の動作の情報を含む。第２の情報Ａ４２は、複数の第２の動作の情報を含む。第１の動作と第２の動作とは、露出を制御する動作である。具体的には、複数の第１の動作は、中央重点平均測光アルゴリズムと、顔優先アルゴリズムとである。具体的には、複数の第２の動作は、中央重点平均測光アルゴリズムと、顔優先アルゴリズムと、スポット測光アルゴリズムとである。中央重点平均測光アルゴリズムと、顔優先アルゴリズムとは、第１の動作と第２の動作とで共通である。第１の情報Ａ４１は、中央重点平均測光アルゴリズムと、顔優先アルゴリズムとのいずれか１つのみの情報を含んでもよい。
【００８５】
中央重点平均測光アルゴリズムは、画像の中央部の明るさを重点的に検出しつつ、画像全体の明るさを検出し、検出された明るさに基づいて露出を制御するアルゴリズムである。顔優先アルゴリズムは、顔認識機能により画像から認識された顔の明るさが最適になるように露出を制御するアルゴリズムである。スポット測光アルゴリズムは、画像のフォーカスポイントの周辺のみの明るさが最適になるように露出を制御するアルゴリズムである。
【００８６】
主要な被写体の明るさが適切でない場合、撮像モジュール１００はユーザにとって好ましい画像の撮像に失敗しやすい。つまり、主要な被写体が非常に暗いまたは明るい画像が撮像されやすい。複数の第１の動作は、被写体の確認を伴わない場合に適切な露出が設定されやすい露出制御アルゴリズムのみを含む。複数の第１の動作は、被写体の確認を伴わない場合に適切な露出が設定されにくい露出制御アルゴリズムを含まない。
【００８７】
例えば、ファインダー機器２０ａが撮像装置１０ｂに装着されている場合、以下の方法により、２つの第１の動作のうち１つが選択される。撮像モジュール１００が撮像可能状態になったとき、制御部１０３ｂは撮像モジュール１００から画像を取得する。制御部１０３ｂは、取得された画像に人物がいるか否かを判定する。画像に人物がいる場合、制御部１０３ｂは、顔優先アルゴリズムを選択する。制御部１０３ｂは、顔優先アルゴリズムに従って露出が設定された状態で撮像が行われるように撮像モジュール１００を制御する。画像に人物がいない場合、制御部１０３ｂは、中央重点平均測光アルゴリズムを選択する。制御部１０３ｂは、中央重点平均測光アルゴリズムに従って露出が設定された状態で撮像が行われるように撮像モジュール１００を制御する。
【００８８】
第２の実施形態の第４の例では、ファインダー機器２０ａが撮像装置１０ｂに装着されている場合、適切な露出が設定されやすい露出制御アルゴリズムに従って撮像が行われる。このため、撮像の設定が最適な設定と異なる度合いを低減することができる。つまり、撮像モジュール１００がユーザにとって好ましい画像の撮像に成功しやすい。
【００８９】
（第２の実施形態の第５の例）
図１２は、第２の実施形態の第５の例における第１の情報Ａ５１と第２の情報Ａ５２とを示している。第１の情報Ａ５１は、ファインダー機器２０ａが装着されている場合に対応する。第２の情報Ａ５２は、ファインダー機器２０ａが装着されていない場合に対応する。第１の情報Ａ５１と第２の情報Ａ５２とは、特定の撮像パラメータ（画角パラメータ）を設定する動作の情報を含む。
【００９０】
第１の情報Ａ５１は、複数の第１の動作の情報を含む。第２の情報Ａ５２は、複数の第２の動作の情報を含む。第１の動作と第２の動作とは、特定の撮像パラメータ（画角パラメータ）を設定する動作である。図１２に示す例では、レンズの画角が３５ｍｍ換算で２８ｍｍ以上８４ｍｍ以下の範囲で設定可能なレンズモジュール４０が使用される。２８ｍｍの画角が、最も広角な状態すなわちワイド端に対応する。８４ｍｍの画角が、最も望遠の状態すなわちテレ端に対応する。具体的には、複数の第１の動作は、レンズモジュール４０のレンズの画角を２８ｍｍ以上３６ｍｍ以下のいずれか１つの値に設定する動作である。具体的には、複数の第２の動作は、レンズモジュール４０のレンズの画角を２８ｍｍ以上８４ｍｍ以下のいずれか１つの値に設定する動作である。レンズモジュール４０のレンズの画角を２８ｍｍ以上３６ｍｍ以下のいずれか１つの値に設定する動作は、第１の動作と第２の動作とで共通である。図１２に示す例では、２８ｍｍ以上３６ｍｍ以下の範囲と２８ｍｍ以上８４ｍｍ以下の範囲とで、レンズモジュール４０のレンズの複数の画角が設定可能である。このため、撮像装置１０ｂは、特定の撮像パラメータを設定する複数の第１の動作と複数の第２の動作とを実行可能である。
【００９１】
高倍率のズームに相当する画角がレンズモジュール４０のレンズに設定されている場合、撮像モジュール１００はユーザにとって好ましい画像の撮像に失敗しやすい。つまり、主要な被写体の一部または全部が撮像範囲に収まらない画像が撮像されやすい。レンズモジュール４０のレンズの画角を変更することによって、より広角な画角を設定することが可能である。これによって、主要な被写体の一部または全部が撮像範囲に収まらない画像の撮像を避けることができる。複数の第１の動作は、相対的に広角の画角を設定する動作のみを含む。複数の第１の動作は、相対的に望遠の画角を設定する動作を含まない。
【００９２】
例えば、ファインダー機器２０ａが撮像装置１０ｂに装着されている場合、以下の方法により、複数の第１の動作のうち１つが選択される。撮像モジュール１００が撮像可能状態になったとき、制御部１０３ｂは撮像モジュール１００から画像を連続的に取得する。例えば、レンズモジュール４０のレンズの画角は、最初は３６ｍｍに設定されている。制御部１０３ｂは、画像から主要な被写体の輪郭を検出する。検出された輪郭が画面の境界と交わる場合、制御部１０３ｂはレンズモジュール４０のレンズの画角をより望遠の画角に変更する。レンズモジュール４０のレンズの画角が変更された後、制御部１０３ｂは、画像から主要な被写体の輪郭を再度検出する。検出された輪郭が画面の境界と交わらなくなるまで上記の動作が繰り返される。つまり、制御部１０３ｂは、レンズモジュール４０のレンズの画角が３６ｍｍ以下になった状態で撮像が行われるようにレンズモジュール４０を制御する。
【００９３】
第２の実施形態の第５の例では、ファインダー機器２０ａが撮像装置１０ｂに装着されている場合、相対的に広角の画角が設定されて撮像が行われる。このため、撮像の設定が最適な設定と異なる度合いを低減することができる。つまり、撮像モジュール１００がユーザにとって好ましい画像の撮像に成功しやすい。
【００９４】
（第２の実施形態の第６の例）
図１３は、第２の実施形態の第６の例における第１の情報Ａ６１と第２の情報Ａ６２とを示している。第１の情報Ａ６１は、ファインダー機器２０ａが装着されている場合に対応する。第２の情報Ａ６２は、ファインダー機器２０ａが装着されていない場合に対応する。第１の情報Ａ６１と第２の情報Ａ６２とは、撮像パラメータ（フォーカスパラメータ）が異なる複数回の撮像または１回の撮像の情報を含む。
【００９５】
第１の情報Ａ６１は、１つの第１の動作の情報を含む。第２の情報Ａ６２は、複数の第２の動作の情報を含む。１つの第１の動作は、連続的な複数回の撮像を行う動作である。具体的には、１つの第１の動作は、フォーカスブラケットである。複数の第２の動作は、連続的な複数回の撮像を行う動作と、１回のみの撮像を行う動作とを含む。具体的には、複数の第２の動作は、フォーカスブラケットと、単写とである。フォーカスブラケットは、第１の動作と第２の動作とで共通である。
【００９６】
フォーカスブラケットは、１回すなわち１フレームの撮像毎にフォーカスパラメータすなわちフォーカスの位置を変化させながら複数回すなわち複数フレームの撮像を行う動作である。単写は、１回すなわち１フレームのみの撮像を行う動作である。
【００９７】
フォーカスが主要な被写体に合っていない場合、撮像モジュール１００はユーザにとって好ましい画像の撮像に失敗しやすい。つまり、フォーカスがぼけた画像が撮像されやすい。さらに、主要な被写体の動きと照明光の条件とによって最適なフォーカスが変化しやすい。１つの第１の動作は、被写体の確認を伴わない場合に適切なフォーカスで撮像された画像が取得されやすい動作のみを含む。１つの第１の動作は、被写体の確認を伴わない場合に適切なフォーカスで撮像された画像が取得されにくい動作を含まない。
【００９８】
制御部１０３ｂは、ファインダー機器２０ａが撮像装置１０ｂに装着されていることが検出された場合、第１の情報に基づく第１の動作が行われるように撮像モジュール１００とレンズモジュール４０とを制御する。例えば、ファインダー機器２０ａが撮像装置１０ｂに装着され、撮像モジュール１００が撮像可能状態になったとき、制御部１０３ｂは、レンズモジュール４０のレンズのフォーカスを設定する。レンズモジュール４０のレンズのフォーカスが設定された後、制御部１０３ｂは、１フレームの撮像が行われるように撮像モジュール１００を制御する。制御部１０３ｂは、レンズモジュール４０のレンズのフォーカスの設定と１フレームの撮像の制御とを複数回行う。レンズモジュール４０のレンズのフォーカスは１フレームの撮像毎に異なる。
【００９９】
第２の実施形態の第６の例では、ファインダー機器２０ａが撮像装置１０ｂに装着されている場合、複数回の撮像が行われる。複数回の撮像により取得された複数フレームの画像の少なくとも１つは、最適な設定で撮像された画像であり得る。このため、撮像の設定が最適な設定と異なる度合いを低減することができる。つまり、撮像モジュール１００がユーザにとって好ましい画像の撮像に成功しやすい。
【０１００】
（第２の実施形態の第７の例）
図１４は、第２の実施形態の第７の例における第１の情報Ａ７１と第２の情報Ａ７２とを示している。第１の情報Ａ７１は、ファインダー機器２０ａが装着されている場合に対応する。第２の情報Ａ７２は、ファインダー機器２０ａが装着されていない場合に対応する。第１の情報Ａ７１と第２の情報Ａ７２とは、撮像パラメータ（露出パラメータ）が異なる複数回の撮像または１回の撮像の情報を含む。
【０１０１】
第１の情報Ａ７１は、複数の第１の動作の情報を含む。第２の情報Ａ７２は、複数の第２の動作の情報を含む。複数の第１の動作は、連続的な複数回の撮像を行う動作である。具体的には、複数の第１の動作は、露出ブラケットと、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）ブラケットと、ＨＤＲ（Ｈｉｇｈ  Ｄｙｎａｍｉｃ  Ｒａｎｇｅ）ブラケットとである。複数の第２の動作は、連続的な複数回の撮像を行う動作と、１回のみの撮像を行う動作とを含む。具体的には、複数の第２の動作は、露出ブラケットと、ＩＳＯブラケットと、ＨＤＲブラケットと、単写とである。露出ブラケットと、ＩＳＯブラケットと、ＨＤＲブラケットとは、第１の動作と第２の動作とで共通である。第１の情報Ａ７１は、露出ブラケットと、ＩＳＯブラケットと、ＨＤＲブラケットとのいずれか１つのみの情報を含んでもよい。
【０１０２】
露出ブラケットは、１回すなわち１フレームの撮像毎に露出パラメータすなわち露出の値を変化させながら複数回すなわち複数フレームの撮像を行う動作である。ＩＳＯブラケットは、１回すなわち１フレームの撮像毎に露出パラメータすなわちＩＳＯ感度を変化させながら複数回すなわち複数フレームの撮像を行う動作である。ＨＤＲブラケットは、１回すなわち１フレームの撮像毎に露出パラメータすなわち露出の値を変化させながら複数回すなわち複数フレームの撮像を行う動作である。ＨＤＲブラケットにより生成された画像はＨＤＲ合成に使用される。単写は、１回すなわち１フレームのみの撮像を行う動作である。
【０１０３】
主要な被写体の明るさが適切でない場合、撮像モジュール１００はユーザにとって好ましい画像の撮像に失敗しやすい。つまり、主要な被写体が非常に暗いまたは明るい画像が撮像されやすい。さらに、主要な被写体の動きと照明光の条件とによって最適な明るさが変化しやすい。１つの第１の動作は、被写体の確認を伴わない場合に適切な露出で撮像された画像が取得されやすい動作のみを含む。１つの第１の動作は、被写体の確認を伴わない場合に適切な露出で撮像された画像が取得されにくい動作を含まない。
【０１０４】
制御部１０３ｂは、ファインダー機器２０ａが撮像装置１０ｂに装着されていることが検出された場合、第１の情報に基づく第１の動作が行われるように撮像モジュール１００を制御する。例えば、ファインダー機器２０ａが撮像装置１０ｂに装着され、撮像モジュール１００が撮像可能状態になったとき、制御部１０３ｂは、撮像モジュール１００の露出とＩＳＯ感度とのいずれか１つを設定する。撮像モジュール１００の露出とＩＳＯ感度とのいずれか１つが設定された後、制御部１０３ｂは、１フレームの撮像が行われるように撮像モジュール１００を制御する。制御部１０３ｂは、撮像モジュール１００の露出とＩＳＯ感度とのいずれか１つの設定と１フレームの撮像の制御とを複数回行う。撮像モジュール１００の露出とＩＳＯ感度とは１フレームの撮像毎に異なる。
【０１０５】
第２の実施形態の第７の例では、ファインダー機器２０ａが撮像装置１０ｂに装着されている場合、複数回の撮像が行われる。複数回の撮像により取得された複数フレームの画像の少なくとも１つは、最適な設定で撮像された画像であり得る。このため、撮像の設定が最適な設定と異なる度合いを低減することができる。つまり、撮像モジュール１００がユーザにとって好ましい画像の撮像に成功しやすい。
【０１０６】
（第２の実施形態の変形例）
図１５は、第２の実施形態の変形例における第１の情報Ａ８１と第２の情報Ａ８２とを示している。第１の情報Ａ８１は、ファインダー機器２０ａが装着されている場合に対応する。第２の情報Ａ８２は、ファインダー機器２０ａが装着されていない場合に対応する。第１の情報Ａ８１と第２の情報Ａ８２とは、撮像パラメータ（色パラメータまたは画像加工パラメータ）が異なる複数回の画像処理または１回の画像処理の情報を含む。
【０１０７】
第１の情報Ａ８１は、複数の第１の動作の情報を含む。第２の情報Ａ８２は、複数の第２の動作の情報を含む。複数の第１の動作は、連続的な複数回の画像処理を行う動作である。具体的には、複数の第１の動作は、ホワイトバランスブラケットと、特定フィルタブラケットとである。複数の第２の動作は、連続的な複数回の画像処理を行う動作と、１回のみの画像処理を行う動作とを含む。具体的には、複数の第２の動作は、ホワイトバランスブラケットと、特定フィルタブラケットと、１回の画像処理とである。ホワイトバランスブラケットと、特定フィルタブラケットとは、第１の動作と第２の動作とで共通である。第１の情報Ａ８１は、ホワイトバランスブラケットと、特定フィルタブラケットとのいずれか１つのみの情報を含んでもよい。
【０１０８】
ホワイトバランスブラケットは、１回すなわち１フレームの撮像により取得された画像に対して、色パラメータすなわち色合いに関するパラメータを変化させながら複数回の画像処理を行い、複数の画像を生成する動作である。特定フィルタブラケットは、１回すなわち１フレームの撮像により取得された画像に対して、色パラメータを含む画像加工パラメータ（画像処理フィルタパラメータ）を変化させながら複数回の画像処理を行い、複数の画像を生成する動作である。１回の画像処理は、１回すなわち１フレームの撮像により取得された画像に対して、１回のみの画像処理を行い、１つのみの画像を生成する動作である。
【０１０９】
主要な被写体の色が適切でない場合、撮像モジュール１００はユーザにとって好ましい画像の撮像に失敗しやすい。つまり、主要な被写体が実際の色と異なる色で撮像されやすい。さらに、主要な被写体の動きと照明光の条件とによって被写体の色が変化しやすい。１つの第１の動作は、被写体の確認を伴わない場合に適切な色で被写体が撮像された画像が取得されやすい動作のみを含む。１つの第１の動作は、被写体の確認を伴わない場合に適切な色で被写体が撮像された画像が取得されにくい動作を含まない。
【０１１０】
第２の実施形態の変形例では、ステップＳ１１０の処理とステップＳ１１５の処理とが以下の処理に変更される。制御部１０３ｂは、ファインダー機器２０ａが撮像装置１０ｂに装着されていることが検出された場合、第１の情報に基づく第１の動作が行われるように画像処理を制御する。例えば、ファインダー機器２０ａが撮像装置１０ｂに装着され、撮像モジュール１００が撮像可能状態になったとき、制御部１０３ｂは、色合いに関するパラメータと画像加工パラメータとのいずれか１つを設定する。色合いに関するパラメータと画像加工パラメータとのいずれか１つが設定された後、制御部１０３ｂは、撮像モジュール１００によって生成された画像に画像処理を行う。制御部１０３ｂは、色合いに関するパラメータと画像加工パラメータとのいずれか１つの設定と画像処理とを複数回行う。複数回の画像処理に使用される画像は同一である。色合いに関するパラメータと画像加工パラメータとは１回の画像処理毎に異なる。上記の処理によって、制御部１０３ｂは、１つの画像から複数の画像を生成する。制御部１０３ｂは、ファインダー機器２０ａが撮像装置１０ｂに装着されていないことが検出された場合、第２の情報に基づく第２の動作が行われるように画像処理を制御する。
【０１１１】
第２の実施形態の変形例では、ファインダー機器２０ａが撮像装置１０ｂに装着されている場合、複数回の画像処理が行われる。複数回の画像処理により取得された複数の画像の少なくとも１つは、最適な設定で処理された画像であり得る。このため、撮像の設定が最適な設定と異なる度合いを低減することができる。つまり、撮像モジュール１００がユーザにとって好ましい画像の撮像に成功しやすい。
【０１１２】
（第２の実施形態の第８の例）
図１６は、第２の実施形態の第８の例における第１の情報Ａ９１と第２の情報Ａ９２とを示している。第１の情報Ａ９１は、ファインダー機器２０ａが装着されている場合に対応する。第２の情報Ａ９２は、ファインダー機器２０ａが装着されていない場合に対応する。第１の情報Ａ９１と第２の情報Ａ９２とは、複数回または１回の撮像の情報を含む。
【０１１３】
第１の情報Ａ９１は、１つの第１の動作の情報を含む。第２の情報Ａ９２は、複数の第２の動作の情報を含む。１つの第１の動作は、連続的な複数回の撮像を行う動作である。具体的には、１つの第１の動作は、基準タイミングのＭ秒前から１秒当たりＮ回の撮像を行う動作である。複数の第２の動作は、連続的な複数回の撮像を行う動作と、１回のみの撮像を行う動作とを含む。具体的には、複数の第２の動作は、基準タイミングのＭ秒前から１秒当たりＮ回の撮像を行う動作と、単写とである。Ｍは１以上の任意の正の実数である。Ｎは２以上の任意の正の整数である。基準タイミングのＭ秒前から１秒当たりＮ回の撮像を行う動作は、第１の動作と第２の動作とで共通である。
【０１１４】
基準タイミングのＭ秒前から１秒当たりＮ回の撮像を行う動作は、基準タイミングのＭ秒前から基準タイミングまでの１秒当たりＮ回の撮像によって生成された画像を取得する動作である。単写は、１回すなわち１フレームのみの撮像を行う動作である。
【０１１５】
第２の実施形態の第６の例と第７の例とで説明したように、主要な被写体のフォーカス等が適切でない場合、撮像モジュール１００はユーザにとって好ましい画像の撮像に失敗しやすい。１つの第１の動作は、被写体の確認を伴わない場合に適切な画像が取得されやすい動作のみを含む。１つの第１の動作は、被写体の確認を伴わない場合に適切な画像が取得されにくい動作を含まない。
【０１１６】
制御部１０３ｂは、ファインダー機器２０ａが撮像装置１０ｂに装着されていることが検出された場合、第１の情報に基づく第１の動作が行われるように撮像モジュール１００を制御する。例えば、ファインダー機器２０ａが撮像装置１０ｂに装着され、撮像モジュール１００が撮像可能状態になったとき、制御部１０３ｂは撮像モジュール１００から画像を連続的に取得する。取得された画像は記憶モジュール１０２ａに順次記憶される。つまり、画像がバッファリングされる。
【０１１７】
撮像操作スイッチ１０４が撮像指示を受け付けたとき、制御部１０３ｂは、所定の時間に記憶モジュール１０２ａに記憶された複数の画像を参照する。所定の時間は、基準タイミングのＭ秒前から基準タイミングまでの時間である。基準タイミングは、撮像操作スイッチ１０４が撮像指示を受け付けたタイミングである。制御部１０３ｂは、１秒当たりＮ枚の割合で画像を選択する。選択された画像は記憶モジュール１０２ａに保存される。つまり、制御部１０３ｂは、基準タイミングを基準とする一定時間に撮像された複数の画像を記憶モジュール１０２ａに保存する。
【０１１８】
第２の実施形態の第８の例では、ファインダー機器２０ａが撮像装置１０ｂに装着されている場合、複数回の撮像が行われる。複数回の撮像により取得された複数フレームの画像の少なくとも１つは、最適な設定で撮像された画像であり得る。このため、撮像の設定が最適な設定と異なる度合いを低減することができる。つまり、撮像モジュール１００がユーザにとって好ましい画像の撮像に成功しやすい。
【０１１９】
第２の実施形態の第１から第８の例と、第２の実施形態の変形例とは第１の実施形態の撮像装置１０ｂに適用可能である。
【０１２０】
（第３の実施形態）
図１７は、本発明の第３の実施形態の撮像装置１０ｃの構成を示している。図１７に示すように、撮像装置１０ｃは、撮像モジュール１００と、検出部１０１ｃと、記憶モジュール１０２ａと、制御部１０３ｃとを有する。
【０１２１】
図１７に示す構成について、図１に示す構成と異なる点を説明する。ファインダー機器２０ｃは、接眼センサー２００を有する。接眼センサー２００は、接眼センサー２００に眼が近づけられているか否かを検出する。接眼センサー２００は、検出の結果を示す接眼情報を出力する。これによって、ファインダー機器２０ｃは、接眼センサー２００に眼が近づけられているか否かを示す接眼情報を出力する。検出部１０１ｃは、接眼情報に基づいて、接眼センサー２００に眼が近づけられているか否かを検出する。制御部１０３ｃは、ファインダー機器２０ｃが撮像装置１０ｃに装着されたことが検出され、かつ、接眼センサー２００に眼が近づけられていることが検出された場合、第１の情報に基づく第１の動作が行われるように撮像モジュール１００または画像処理を制御する。
【０１２２】
例えば、第２の実施形態の第６から第８の例と、第２の実施形態の変形例とのいずれか１つが撮像装置１０ｃに適用される。制御部１０３ｃは、ファインダー機器２０ｃが撮像装置１０ｃに装着されたことが検出された後、接眼センサー２００に眼が近づけられていることが検出された場合、第１の情報に基づく複数回の撮像または複数回の画像処理を開始する。
【０１２３】
例えば、制御部１０３ｃは、制御部１０３ｃの動作を規定する命令を含むプログラムを読み込み、読み込まれたプログラムを実行する。このプログラムの実現形態は、図１に示す制御部１０３ａの機能を実現するプログラムの実現形態と同様である。
【０１２４】
上記以外の点については、図１７に示す構成は図１に示す構成と同様である。
【０１２５】
第３の実施形態では、ファインダー機器２０ｃが撮像装置１０ｃに装着されたことが検出され、かつ、接眼センサー２００に眼が近づけられていることが検出された場合のみ、第１の情報に基づく第１の動作が行われるように撮像モジュール１００または画像処理が制御される。このため、撮像装置１０ｃは撮像または画像処理の設定を早く開始することができる。
【０１２６】
以上、図面を参照して本発明の実施形態について詳述してきたが、具体的な構成は上記の実施形態に限られるものではなく、本発明の要旨を逸脱しない範囲の設計変更等も含まれる。
【産業上の利用可能性】
【０１２７】
本発明の各実施形態によれば、ファインダー機器が撮像装置に装着されている場合、ファインダー機器が撮像装置に装着されていない場合と比較して、実行可能な動作が制限される。このため、撮像の設定が最適な設定と異なる度合いを低減することができる。
【符号の説明】
【０１２８】
１  撮像システム
１０ａ，１０ｂ，１０ｃ  撮像装置
２０ａ，２０ｃ  ファインダー機器
３０  表示装置
４０  レンズモジュール
１００  撮像モジュール
１０１ａ，１０１ｃ  検出部
１０２ａ  記憶モジュール
１０３ａ，１０３ｂ，１０３ｃ，３０３  制御部
１０４  撮像操作スイッチ
１０５，３００  通信モジュール
２００  接眼センサー
３０１  表示モジュール
３０２  操作スイッチ
【要約】
撮像装置は、撮像モジュールと、検出部と、記憶部と、制御部とを有する。前記検出部は、ファインダー機器が前記撮像装置に装着されているか否かを検出する。前記記憶モジュールは、第１の情報と第２の情報とを記憶する。前記第１の情報は、前記ファインダー機器が前記撮像装置に装着されている場合に実行可能な１つまたは複数の第１の動作を示す。前記第２の情報は、前記ファインダー機器が前記撮像装置に装着されていない場合に実行可能な複数の第２の動作を示す。前記制御部は、前記ファインダー機器が前記撮像装置に装着されていることが検出された場合、前記第１の情報に基づく前記第１の動作が行われるように前記撮像モジュールまたは前記撮像モジュールに接続されるレンズモジュールを制御する。前記制御部は、前記ファインダー機器が前記撮像装置に装着されていないことが検出された場合、前記第２の情報に基づく前記第２の動作が行われるように前記撮像モジュールまたは前記レンズモジュールを制御する。【図１】
0005830632.tif 000002
【図２】
0005830632.tif 000003
【図３】
0005830632.tif 000004
【図４】
0005830632.tif 000005
【図５】
0005830632.tif 000006
【図６】
0005830632.tif 000007
【図７】
0005830632.tif 000008
【図８】
0005830632.tif 000009
【図９】
0005830632.tif 000010
【図１０】
0005830632.tif 000011
【図１１】
0005830632.tif 000012
【図１２】
0005830632.tif 000013
【図１３】
0005830632.tif 000014
【図１４】
0005830632.tif 000015
【図１５】
0005830632.tif 000016
【図１６】
0005830632.tif 000017
【図１７】
0005830632.tif 000018